(57)【要約】【課題】グロメット内への水等の浸入を防ぎ、確実に止水することのできるグロメットを提供する。【解決手段】グロメットインナとグロメットインナを覆うように組み付けられるグロメットアウタとで形成され、パネルの取付孔に挿通されるグロメットであって、取付孔の開口縁部に密着当接するグロメットアウタは、電線が挿通される電線挿通筒部と、この電線挿通筒部と一体に形成されて取付孔の開口縁部に対向するフランジ部と、該フランジ部から延設されて取付孔の開口縁部に密着当接する環状リップ部とを有し、グロメットインナとグロメットアウタとを組み付けた状態で取付孔に挿通することによってグロメットアウタのフランジ部と環状リップ部とが当接し、環状リップ部が取付孔の開口縁部に押圧される押圧部を少なくとも環状リップ部又はフランジ部のいずれか一方に設けた。【選択図】図３
2014033564.tif 000002
【特許請求の範囲】
【請求項１】
グロメットインナとグロメットインナを覆うように組み付けられるグロメットアウタとで形成され、パネルの取付孔に挿通されるグロメットであって、
前記取付孔の開口縁部に密着当接する前記グロメットアウタは、電線が挿通される電線挿通筒部と、この電線挿通筒部と一体に形成されて前記取付孔の開口縁部に対向するフランジ部と、該フランジ部から延設されて前記取付孔の開口縁部に密着当接する環状リップ部とを有し、
前記グロメットインナと前記グロメットアウタとを組み付けた状態で前記取付孔に挿通することによって前記グロメットアウタの前記フランジ部と前記環状リップ部とが当接し、前記環状リップ部が前記取付孔の開口縁部に押圧される押圧部を少なくとも前記環状リップ部又は前記フランジ部のいずれか一方に設けたことを特徴とするグロメット。
【請求項２】
請求項１に記載のグロメットであって、
前記フランジ部は、前記電線挿通筒部から外周側に突設された基壁と、この基壁の先端側に一体形成された外周壁と、該外周壁から前記基壁と同方向へ延設された自由端壁とで形成され、
前記環状リップ部は、前記自由端壁の先端から外周壁側へ延設された撓み環状壁と、この撓み環状壁の先端側に設けられた当接環状部とで形成され、
前記当接環状部に前記押圧部が設けられていることを特徴とするグロメット。
【請求項３】
請求項２に記載のグロメットであって、
前記基壁と前記自由端壁との間に組付内周溝が設けられ、該組付内周溝には前記グロメットインナに設けられた組付外周壁に挿入され、前記押圧部が前記外周壁の前記自由端壁側の端部に押圧されることを特徴とするグロメット。
【発明の詳細な説明】
【技術分野】
【０００１】
本発明は、パネルに設けられた貫通孔に取り付けられて貫通孔を挿通する電線の周囲からの浸水を防止するグロメットに関する。
【背景技術】
【０００２】
自動車には、多数の電子部品が搭載されており、この電子部品を制御または起動させるために複数の電線が例えば自動車のエンジンルーム内等から車室へ配設されている。エンジンルーム等から車室内に配設される電線は、パネルを挿通させるためグロメットによって車室内への雨水などが浸入を阻止している。
【０００３】
例えば、特許文献１に、パネル等の取付部材に対向する接合面に、前記取付部材に液密状態に押圧される全体として環状のシール用リップ部が設けられたグロメットの取り付け構造が提案されている。この構造において前記シール用リップ部の内周側に、前記取り付け部材に液密状態に接触されるシール用突条が更に形成され、前記取付部材の接触面のうち、前記シール用リップ部が接触する第１の面と、前記シール用突条が接触する第２の面とが、これらの面に垂直な方向に段差がつけられている。そして、グロメットと貫通孔との嵌合時に、取付部材にシール用リップ部およびシール用突条が密着して、グロメットと取付部材との固定部分に段差のある二重のシール部分を形成しています。
【先行技術文献】
【特許文献】
【０００４】
【特許文献１】特開２００３−１６４０４１
【発明の概要】
【発明が解決しようとする課題】
【０００５】
しかしながら、従来のグロメットでは、二重のシール部分を形成しているため止水性は確保することができるが、グロメットを取付部材に組み付ける際にシール用突条を押圧して嵌合させなければならないため、シール用突条を押圧する強力な押圧力が必要となり、グロメットを取付部材に容易に組み付けることができなかった。
【０００６】
そこで、本発明は、容易に貫通孔に組み付けることができ、かつ、グロメット内への水等の浸入を防ぎ、確実に止水することのできるグロメットを提供することを目的としている。
【課題を解決するための手段】
【０００７】
上記の課題を解決するために、請求項１に係る発明では、グロメットインナと、グロメットインナを覆おうように組み付けられるグロメットアウタとで形成されてパネルの取付孔に挿通されるグロメットであって、前記取付孔の開口縁部に密着当接する前記グロメットアウタは、電線が挿通される電線挿通筒部と、この電線挿通筒部と一体に形成されて前記取付孔の開口縁部に対向するフランジ部と、該フランジ部から延設されて前記取付孔の開口縁部に密着当接する環状リップ部とを有し、前記グロメットインナと前記グロメットアウタとを組み付けた状態で前記取付孔に挿通することで前記グロメットアウタの前記フランジ部と前記環状リップ部とが当接し、前記環状リップ部が前記取付孔の開口縁部に押圧される押圧部を少なくとも前記環状リップ部又は前記フランジ部のいずれか一方に設けたことを特徴とする。
【０００８】
また、請求項２に係る発明では、請求項１に記載のグロメットであって、前記フランジ部は、前記電線挿通筒部から外周側に突設された基壁と、この基壁の先端側に一体形成された外周壁と、該外周壁から前記基壁と同方向へ延設された自由端壁とで形成され、前記環状リップ部は、前記自由端壁の先端から外周壁側へ延設された撓み環状壁と、この撓み環状壁の先端側に設けられた当接環状部とで形成され、前記当接環状部に前記押圧部が設けられていることを特徴とする。
【０００９】
さらに、請求項３に係る発明では、請求項２に記載のグロメットであって、前記基壁と前記自由端壁との間に組付内周溝が設けられ、該組付内周溝には前記グロメットインナに設けられた組付外周壁が挿入され、前記押圧部が前記外周壁の前記自由端壁側の端部に押圧されることを特徴とする。
【発明の効果】
【００１０】
請求項１の発明によれば、グロメットインナとグロメットアウタとを組み付けた状態で取付孔に挿通することでグロメットアウタのフランジ部と環状リップ部とが当接し、環状リップ部が取付孔の開口縁部に押圧される押圧部を少なくとも環状リップ部又はフランジ部のいずれか一方に設けたことにより、グロメット内への水等の浸入を防ぎ、確実に止水することができる。
【００１１】
請求項２の発明によれば、当接環状部に押圧部が設けられることにより、より確実にグロメット内への水等の浸入を防ぎ、確実に止水することができる。
【００１２】
請求項３の発明によれば、組付内周溝に組付外周壁が挿入されることにより、自由端壁の撓みを抑えることができ、当接環状部に設けられた押圧部が外周壁の自由端壁側の端部に押圧されることにより外周壁が撓むため、グロメットを容易に組み付けることができ、かつ、より強固にパネルを支持することができる。
【００１３】
すなわち、グロメットインナとグロメットアウタとを組み付け、パネルの取付孔に挿通する際、当接環状部がパネルの開口縁部に当接して押圧部がフランジ部側へ押圧されるが、組付内周溝に組付外周壁が挿入されているため、自由端壁が基部側へ撓むのを阻止する。したがって、組付内周溝に組付外周壁を挿入してパネルへグロメットの組み付けを行うことにより、自由端壁が基部側へ撓むことがないのでより強固に撓み環状壁の先端に形成された押圧部をフランジ部へ押し付けることができるため、グロメット内への水等の浸入を防ぎ、確実に止水することができる。
【図面の簡単な説明】
【００１４】
【図１】（ａ）本発明のグロメットの全体図。（ｂ）本発明の要部拡大図。
【図２】グロメットアウタのグロメットインナへの組み付け前の状態を示す図。
【図３】グロメットアウタとグロメットインナを組み付けた状態を示す図。
【発明を実施するための形態】
【００１５】
以下、本発明の実施の形態について、図面を用いて詳細に説明する。
【００１６】
図１（ａ）、（ｂ）に示すように本発明のグロメット１は、略円筒状のグロメットインナ３と、グロメットインナ３を覆うように組み付けられるとともに取付孔６の開口縁部８に密着当接するグロメットアウタ２と、から構成されている。
【００１７】
略円筒状のグロメットアウタ２は、軟質で一体に形成され内周に電線が挿通される電線挿通筒部１０と、この電線挿通筒部１０と一体に形成されて取付孔６の開口縁部８に対向するフランジ部１２と、フランジ部１２から延設されて取付孔６の開口縁部に密着当接する環状リップ部１４と、で形成されている。
【００１８】
電線挿通筒部１０は、略円筒状の筒部が２本形成され、これらの２本の筒部の一側に楕円形のフランジ部１２が形成されている。これらの筒部はフランジ部１２側から縮径されて形成されている。
【００１９】
電線挿通筒部１０と一体に形成されるフランジ部１２は、電線挿通筒部１０から外周側に突設された基壁２４と、この基壁２４の先端側に一体形成された外周壁２６と、外周壁２６から基壁２４と同方向へ延設された自由端壁２８と、から構成されている。そして、基壁２４、外周壁２６、自由端壁２８とで囲まれる内側が組付内周溝１６となっている。
【００２０】
フランジ部１２の自由端壁２８に連続して環状に形成される環状リップ部１４は、自由端壁２８の先端から外周壁側へ延設された弾性を有する撓み環状壁３０と、この撓み環状壁３０の先端側に設けられた当接環状部３２と、フランジ部１２側へ突設する押圧部３４と、から構成されている。
【００２１】
この押圧部３４は、図２で示すように先端が鋭角に形成されており、外周壁２６の自由端壁２８側の端部に押圧される。また、押圧部３４の先端の形状は鋭角以外でもよく、例えば曲面形状であってもよい。すなわち、押圧部３４が外周壁２６の自由端壁２８側の端部に押圧される形状であればどのような形状でもよい。
【００２２】
グロメットアウタ２に組付固定されるグロメットインナ３は、グロメットアウタ２より硬質の硬質材で一体形成され環状に形成されるインナ本体１８と、内周に電線が挿通される電線挿通部２０と、グロメットアウタ２の組付内周溝１６に挿入される組付外周壁２２と、から構成されている。
【００２３】
環状のインナ本体１８は、パネル４の取付孔６に挿通されてインナ本体１８の外周部１９から突出して形成されるパネル支持部２１を乗り越えることでパネル４の開口端部６がインナ本体１８の外周部１９に当接して支持している。また、インナ本体１８の外周は、パネル４の取付孔６に挿通されるとともにグロメットアウタ２の自由端壁２８に当接している。
【００２４】
電線挿通部２０は、環状のインナ本体１８の内周側に形成されており、図示しない電線が挿通されている。
【００２５】
組付外周壁２２は、インナ本体１８から外周方向に突出するように形成されており、グロメットアウタ２の組付内周溝１６に嵌合することで、グロメットアウタ２とグロメットインナ３とを組付固定している。
【００２６】
次に、グロメット１の取り付け構造について説明する。
【００２７】
まず、グロメットインナ３の組付外周壁２２をグロメットアウタ２の組付内周溝１６に嵌合するようにグロメットインナ３とグロメットアウタ２とを組付固定する。組付固定されたグロメット１をパネル４の一方側から取付孔６に挿通し、取付孔６がインナ本体１８の外周側に突出するパネル支持部２１を乗り越えて外周部１９に当接することでグロメット１がパネル４に支持される。
【００２８】
また、グロメット１を取付孔６に組み付ける際、グロメットアウタ２の撓み環状壁３０の先端に形成された当接環状部３２がパネル４の開口縁部８に当接すると同時に、環状リップ部１４の押圧部３４がフランジ部１２側へ押し上げられて外周壁２６の自由端壁２８側の端部に押圧される。
【００２９】
このように取り付けることで、図３に示すようにグロメット１が取付孔６取り付けられる。
【００３０】
上記のように、グロメットインナ３とグロメットアウタ２とを組み付けた状態で取付孔６に挿通することでグロメットアウタ２のフランジ部１２と環状リップ部１４とが当接し、環状リップ部１４が取付孔６の開口縁部８に押圧される押圧部を環状リップ部１４に設けたことによって、グロメット１内への水等の浸入を防ぎ、確実に止水することができる。
【００３１】
また、環状リップ部１４の撓み環状壁３０は、弾性を有しているためパネル４方向へ復帰しようとする力が働くため、強固にパネル４とグロメットアウタ２を取り付けることができる。
【００３２】
さらに、当接環状部３２に押圧部３４が設けられることにより、当接環状部３２がパネル４に押し付けられるとともに、押圧部３４が自由端壁２８に押し付けられるので、より確実にグロメット１内への水等の浸入を防ぎ、確実に止水することができる。
【００３３】
さらにまた、組付内周溝１６に組付外周壁２２が挿入されることにより、自由端壁２８の撓みを抑えることができ、押圧部３４が外周壁２６の自由端壁２８側の端部に押圧されることにより外周壁２６が撓むため、グロメット１を容易に組み付けることができ、かつ、より強固にパネル４を支持することができる。
【００３４】
すなわち、グロメットインナ３とグロメットアウタ２とを組み付け、パネル４の取付孔６に挿通する際、当接環状部３２がパネル４に当接して押圧部３４がフランジ部１２側へ押圧されるが、組付内周溝１６に組付外周壁２２が挿入されているため、自由端壁２８が基部２４側へ撓むのを阻止する。加えて、グロメットアウタ２が軟質材によって形成されているため、押圧部３４が外周壁２６の自由端壁２８側の端部に押圧される際、グロメットアウタ２が挿入方向と反対側に撓み易くなる。
【００３５】
したがって、組付内周溝１６に組付外周壁２２を挿入してパネル４へグロメット１の組み付けを行うことにより、自由端壁２８が基部２４側へ撓むことがなく、軟質材によって形成されている外周壁２６が押圧部３４に押圧されるとグロメット１挿入方向と反対側に撓み易いため、グロメット１をパネル４に容易に組み付けることができる。さらに、より強固に撓み環状壁３０の先端に形成された押圧部３４をフランジ部１２へ押し付けることができるため、グロメット内への水等の浸入を防ぎ、確実に止水することができる。また、パネル４にグロメット１の取り付けが完了すると、挿入時に撓んだ外周壁２６が反力によってパネル４方向へ復帰しようとするため、押圧部３４をパネル４側へ押し付けるので、パネル４とグロメット１との間の止水性をより高めることができる。
【００３６】
なお、本実施例では、押圧部３４を撓み環状壁３０に設けたが、フランジ部１２に押圧部３４を設けてもよい。
【産業上の利用可能性】
【００３７】
本発明は、グロメットに利用することができる。
【符号の説明】
【００３８】
１  グロメット
２  グロメットアウタ
３  グロメットインナ
４  パネル
６  取付孔
８  開口縁部
１０  電線挿通筒部
１２  フランジ部
１４  環状リップ部
３４  押圧部
【図１】
2014033564.tif 000003
【図２】
2014033564.tif 000004
【図３】
2014033564.tif 000005